(57)【要約】【課題】使用中の姿勢を楽にして首や肩、眼が疲れにくくする。【解決手段】キーボード３２ａを上面に配置した略平板状の本体部３２と、この本体部３２に対して上方へ開閉可能に結合された表示部３６とを備える小型ノートパソコンにおいて、表示部３６は本体部３２に対して開閉可能な表示板支持体３８と、この表示板支持体３８に上方へ展開可能に保持された表示板４０と、を備え、表示板４０をキーボード３２ａから上方へ離して高くできるようにした。【選択図】図２
2011076331.tif 000002
【特許請求の範囲】
【請求項１】
キーボードを上面に配置した略平板状の本体部と、
この本体部に対して上方へ開閉可能に結合された表示部とを備える小型ノートパソコンにおいて、
前記表示部は前記本体部に対して開閉可能な表示板支持体と、
この表示板支持体に上方へ展開可能に保持された表示板と、を備えることを特徴とする小型ノートパソコン。
【請求項２】
表示板支持体は、表示板を上方へ展開可能でかつ表示板に垂直な軸回りに表示板を少なくとも９０°回転可能に保持する請求項１の小型ノートパソコン。
【請求項３】
表示板には、表示板支持体から上方に展開した状態で外側へ展開可能な補助の表示板を収納可能に設けた請求項１または２の小型ノートパソコン。
【請求項４】
表示板支持体は、本体部の上面を覆う開閉可能な蓋であり、前記蓋には前記表示板をこの蓋から上方に展開した状態で現れる第２の表示板を備える請求項１または２の小型ノートパソコン。
【発明の詳細な説明】
【技術分野】
【０００１】
この発明は、略平板状の本体部に対して薄型表示部を開閉可能に結合した小型ノートパソコンに関するものである。
【背景技術】
【０００２】
略板状の本体部に薄型表示部を開閉可能にヒンジ結合した小型（超小型を含む。）のノートパソコン（パーソナルコンピュータ）が周知である。特許文献１には、本体部分の蓋にフラットパネルディスプレイを付けたノートパソコンにおいて、本体部分の底面に水平設置フラットパネルディスプレイを着脱可能にしたものが示されている。また蓋のフラットディスプレイと同じ高さで左右に引き出すスライド式フラットパネルディスプレイも示されている。
【先行技術文献】
【特許文献】
【０００３】
【特許文献１】特開２００７−２４１９６２
【０００４】
この種のパソコンは近年ますます小型化あるいは超小型化されて携帯に便利なものとなっている。例えば、ミニノート、ネットブック、モバイルノート、ウルトラモバイルなどの名称（商標を含む）で多数のメーカーから供給されている。これらの小型ノートパソコンでは、表示部の寸法（対角線の長さ）は約７インチから約１０インチのものが普通であり、１４インチ程度のものも含む。
【０００５】
また小型化が進むのに伴って本体部に設けるキーボードや各キーの寸法も小さくなってきている。このためキーボードを操作する時には、通常顔をキーボードに近付け、かつ左右の手を接近させて両手の指先を細かく動かす必要が生じる。
【０００６】
図６はこの様子を示す図である。この図で符号１０は机、１２はこの机１０に載せた小型ノートパソコンである。このパソコン１２は本体部１４、表示部１６を持つ。表示部１６は、液晶表示板など公知の表示板を用いた薄型、フラット型、平面型などと呼ばれるディスプレイを持ち、ヒンジ１８によって本体部１４に開閉可能に連結されている。ここに表示部１６のディスプレイ（表示板）は、表示部１６を閉じた時に本体部１４の上面（キーボードを設けた面）に対向しほぼ密着する。
【発明の概要】
【発明が解決しようとする課題】
【０００７】
この種の小型あるいは超小型のノートパソコンでは、キーボードと表示板とが接近しているため、表示板が低い位置になる。このため表示板を見る時に目の高さを表示板に合わせて低くする必要がある。この時、キーボードの高さは通常机の高さになるので、表示板を見る時には背中を強く湾曲させて頭を低くし、机に接近させた状態で首を強く起立させ、視線を表示板に向ける必要が生じる。図６はこの状態を示している。
【０００８】
このように背中を強く丸めた窮屈な姿勢で長時間使用すると首筋や肩が疲れ易いという問題が生じる。
【０００９】
表示板を後方へ大きく開き水平に近くすれば、頭の位置は高くできるが、この場合には表示板に対する視線の角度を適切にして見易くするためには、頭を表示板の上方へ大きく移動させることが必要になる。しかしこの時にはキーボードが上半身の下方に来るため、両腕の肘や手首を強く曲げる必要が生じる。図７はこの状態を示している。
【００１０】
このため背中を強く丸め両腕を身体に近付けて強く曲げた苦しい姿勢になり、言わば身体を小さく縮め込んだ窮屈な姿勢での操作が強いられることになり、疲れ易いという問題が生じる。
【００１１】
また遠近両用の眼鏡を装着した使用者では眼鏡レンズの下部が通常近視用でありレンズの上部が遠視用であるため、手元のキーボードを見る時には眼鏡レンズの下部を通して見ると共に表示板を見る時にはレンズの下部を通して見るために頭を上に強く起こす必要が生じる。このため特に低い位置にある表示板を見る時には首を強く曲げる必要が生じ、肩や背中さらには眼が疲れるという問題がある。
【００１２】
この発明はこのような事情に鑑みなされたものであり、使用中の姿勢を楽にして首や肩、眼が疲れにくくすることができる小型あるいは超小型のノートパソコンを提供することを目的とする。
【課題を解決するための手段】
【００１３】
この発明によればこの目的は、キーボードを上面に配置した略平板状の本体部と、この本体部に対して上方へ開閉可能に結合された表示部とを備える小型ノートパソコンにおいて、前記表示部は前記本体部に対して開閉可能な表示板支持体と、この表示板支持体に上方へ展開可能に保持された表示板と、を備えることを特徴とする小型ノートパソコン、により達成される。
【発明の効果】
【００１４】
表示部を開いた状態で表示板支持体から表示板を上方へ引き出せばあるいは展開すれば、表示板は本体部のキーボードから上方へ離れて高い位置に来ることになる（図２参照）。このためパソコン使用者は頭および眼を高くしてキーボードから離すことができ、背中を強く丸めることなく、また首を強く起立させることなく、楽な姿勢で操作できる。またキーボードを操作する両手も肘や手首を強く曲げる必要が無くなる。この結果パソコン使用者は楽な姿勢でパソコンを操作でき、首、肩、眼の負担が大幅に減り疲れにくくなる。
【図面の簡単な説明】
【００１５】
【図１】本発明の一実施例を示す斜視図である。
【図２】その使用状態を示す図である。
【図３】本発明の他の実施例の斜視図であり、表示板の展開途中を示す。
【図４】同じく表示板を展開した状態を示す斜視図である。
【図５】本発明の他の実施例を示す斜視図である。
【図６】従来のパソコンの使用状態を示す図である。
【図７】従来のパソコンの使用状態を示す図である。
【発明を実施するための形態】
【００１６】
この発明で表示板支持体から上方へ展開する（引き出す）表示板は、表示板支持体と平行に上下方向にスライドするもの（例えば縦長のガイドレールで支持するものや、縦長スリット内で上下スライドする爪で支持するものなど）であってもよいし、表示板支持体の上部にヒンジ結合して上方へ回動させて開くものであってもよい。表示板は種々の平板型のディスプレイが使用可能であり、液晶板、ＥＬ（エレクトロルミネッセンス）板、有機ＥＬ板等は勿論、プラズマディスプレイなどの他のディスプレイであってもよい。
【００１７】
表示板は通常横長の長方形であるが、表示内容によっては縦長の表示板の方が見易いことがある。そのため表示板を少なくとも９０°回転可能にするのがよい。すなわち表示板支持体から引き出した表示板を、表示板に垂直な軸回りに９０°横方向に回転させることにより縦長の表示板に変えられるのがよい（請求項２）。この場合には、表示板の回転軸付近に表示板の回転を検出する角度センサを設けておき、表示板の回転角度によって表示画面の画像を回転させて常に正立位置に表示するようにする。
【００１８】
上方へ引き出した（展開した）表示板には、さらに上方や左右方向の少なくとも一方向へ展開可能な補助の表示板を収納可能に取付けておいてもよい。この補助の表示板を付加することによって画像の表示面積を増やすことができ、ここに補助的な画像（関連資料や参考資料など）を表示したり、広告などを表示することができる（請求項３）。
【００１９】
表示板支持体には、表示板をこの表示板支持体から引き出した（展開した）状態でこの表示板支持体の内面（操作者に対向する面）に現れる第２の表示板を設けておいてもよい。この第２の表示板は前記補助の表示板と同様な使い方ができる。すなわち補助的な画像や広告などを表示することができる（請求項４）。
【実施例１】
【００２０】
図１において符号３０はミニノート、ネットブック、モバイルノートなどと呼ばれる小型ノートパソコンである。このパソコン３０は板状の本体部３２と、この本体部３２の後縁付近に沿ったヒンジ３４により上方へ開閉可能な表示部３６とを備える。表示部３６は、表示板支持体３８と、この表示板支持体３８に上方へ出し入れ可能に保持された表示板４０とを有する。
【００２１】
本体部３２にはコンピュータのＣＰＵを含む回路基板や電池、ハードディスクドライブ等を含むコンピュータの構成機器が収容されている。本体部３２の上面にはキーボード３２ａおよびタッチパッド３２ｂが配設されている。
【００２２】
表示板支持体３８はこれを閉じた時に本体部３２の上面を覆う蓋となるものであり、その左右両縁は断面コ字状に折曲したガイドレール３８ａとなっている。表示板４０はその左右両縁がこのガイドレール３８ａに係合して上下動する。すなわち表示板４０は表示板支持体３８を上方へ開いた状態では上方へ引き出し可能であり、表示板４０を下方へ押し下げた収納状態では表示板支持体３８を蓋として本体部３２の上に重ねて閉じることができる。なおガイドレール３８ａには表示板４０を収納位置と引き出し位置とにロックするロック機構あるいはクリック機構を設けておくのがよい。
【００２３】
表示板支持体３８の内面には、表示板４０を引き出した図１の状態で表示板４０の下方に現れる第２の表示板を設けておいてもよい。この第２の表示板４２には他の画像、例えば補助的な資料の画像を表示したり、広告画面を表示することができる。
【００２４】
このパソコン３０を使用する時には、図２に示すように机１０に置いて表示板支持体３８を開き、さらに表示板４０を引き上げておく。このように表示板４０の位置が高くなり、キーボード３２ｂから離れるので、パソコン使用者２０は図６に示したように背中を丸めることなく、また首を強く上に曲げることなく操作できる。すなわち図２に示すように背中を伸ばし、首を強く曲げることなく頭を起こして操作できる。このため操作姿勢が楽で長時間使用しても疲れにくくなる。
【実施例２】
【００２５】
図３，４において、前記図１と同一部分に同一符号を付したのでその説明は繰り返さない。図１のものと異なるのは、表示板４０Ａを上方に展開した時に９０°回転可能にして縦長の向きにできるようにした点である。すなわち表示板３６Ａの支持枠３８Ａに対して、表示板４０Ａは右上隅の裏面に設けた支点Ｐを中心にして時計方向に９０°回転可能である。この状態では、表示板４０Ａは図４に実線で示すように支持枠３８Ａの上方に展開され、かつ縦長の位置に来る。
【００２６】
この状態では表示板４０Ａは本体部３２に対して右側に偏位することになるが実用上はほとんど不都合は無い。しかし表示板４０Ａを本体部３２に対して左右方向中心に平行移動できるようにしてもよい。そのためには、例えば表示板４０Ａの裏面に支点Ｐとなる突起を設け、この突起が支持枠３８Ａの右上隅に設けた水平なガイド溝Ｓ内で左右に移動可能にすればよい。
【００２７】
この実施例によれば、表示板４０Ａを縦長に回転できるのでここに表示する内容（例えば縦長の文書など）によっては表示し易く見易くなる。
【実施例３】
【００２８】
図５において前記図１と同一部分に同一符号を付したのでその説明は繰り返さない。この実施例では、表示部３６Ｂの表示板支持枠３８Ｂの上縁に表示板４０Ｂをヒンジ結合して表示板４０Ｂを上方に展開できるようにした。この表示板４０Ｂには左右に補助表示板４４、４６を引き出し可能に保持したものである。すなわち表示板４０Ｂのフレーム４８に、左右側縁に開口するスリット５０（一方のみ図示）を設け、補助表示板４４、４６をこれらスリット５０から引き出し可能にすると共にこのスリット５０の中に収納可能にしたものである。
【００２９】
なお表示板支持枠３８Ｂは本体部３２の上面を覆う蓋となるものである。前記表示板４０Ｂは、補助表示板４４、４６をフレーム４８に収納した状態で手前（操作者の正面側）に折りたたみ表示板支持枠３８Ｂに重ねることができる。この状態で表示板支持枠３８Ｂをさらに手前に折りたたみ本体部３２に重ねればノート型になり持ち運びに便利になる。
【００３０】
表示板支持枠３８Ｂを上方に開いて、さらに表示板４０Ｂを上方に開けば、この表示板４０Ｂの位置が高くなり本発明の効果が得られる。またこの状態で左右の補助表示板４４、４６を左右に引き出せば、画像を表示板４０Ｂだけでなくこれらの補助表示板４４、４６にも表示でき、操作者は複数の画像を表示しながら操作することができる。
【００３１】
さらに蓋となる表示板支持枠３８Ｂの内面（本体部３２の上面に対向する面）に第２の表示板４２Ｂを設けてもよい。この第２の表示板４２Ｂは表示板４０Ｂを開いた時に操作者の前に現れるから、表示板４０Ｂと共に、あるいは補助表示板４４、４６も併用して一層多様な表示形態が可能になる。
【符号の説明】
【００３２】
３０  小型ノートパソコン
３２  本体部
３２ａ  キーボード
３４  ヒンジ
３６、３６Ａ、３６Ｂ  表示部
３８、３８Ａ、３８Ｂ  表示板支持体
４０、４０Ａ、４０Ｂ  表示板
４２、４２Ｂ  第２の表示板
４４、４６  補助の表示板
Ｐ  支点
Ｓ  溝
【図１】
2011076331.tif 000003
【図２】
2011076331.tif 000004
【図３】
2011076331.tif 000005
【図４】
2011076331.tif 000006
【図５】
2011076331.tif 000007
【図６】
2011076331.tif 000008
【図７】
2011076331.tif 000009